(57)【要約】【課題】低コストで、容易にサンゴや海草等の海底に定着する海洋生物を育成することが可能となる海洋生物育成具及び育成方法を提供すること。【解決手段】この発明の海洋生物育成具は、海底に定着する海洋生物１を上面に載せて固定するようにした本体２と、本体２から下方に延びる差し込み部３とを有するものとしている。また、この発明の海洋生物の育成方法は、前記海洋生物育成具の本体２に、固定具を利用して海洋生物１を固定する段階、海洋生物１を本体２に付着した状態になるまで成長させる段階、固定具を取り外し、海中において適宜箇所に差し込み部３を差し込む段階を備えたものとしている。【選択図】図３
2008017775.tif 000002
【特許請求の範囲】
【請求項１】
海底に定着する海洋生物（１）を上面に載せて固定するようにした本体（２）と、本体（２）から下方に延びる差し込み部（３）とを有し、片手で持てる程度の大きさとしたことを特徴とする海洋生物育成具。
【請求項２】
本体（２）が、木とプラスチックからなる合成木材により形成されたものである請求項１記載の海洋生物育成具。
【請求項３】
請求項１又は２記載の海洋生物育成具の本体（２）に、固定具を利用して海洋生物（１）を固定する段階、
海洋生物（１）を本体（２）に付着した状態になるまで成長させる段階、
固定具を取り外し、海中において適宜箇所に差し込み部（３）を差し込む段階
を備えたことを特徴とする海洋生物の育成方法。
【発明の詳細な説明】
【技術分野】
【０００１】
この発明は、サンゴや海草等の海洋生物を育成するための海洋生物育成具に関するものである。
【背景技術】
【０００２】
従来、サンゴや海草等の海底に定着する海洋生物を育成する手段・方法が様々な研究機関・企業によって研究されてきた。例えば、特許文献１に記載のように、海中に多数のブロック状固定礁を敷設し、これに外側にサンゴの幼生が生育する斜面を有するブロック状の移動礁を嵌合させ、サンゴを幼生の段階から育成する方法が考案されている。
【０００３】
しかし、この従来の方法は、前記固定礁や移動礁として、多数の護岸用のコンクリートブロック等を使用するため、これらの設置のために重機が必要になるなど、大掛かりでコストがかかるものであり、また、幼生段階からサンゴを順調に成長させることは困難なものであった。
【特許文献１】特開昭６３−２０９５３２号公報
【発明の開示】
【発明が解決しようとする課題】
【０００４】
そこで、この発明は、低コストで、容易にサンゴや海草等の海底に定着する海洋生物を育成することが可能となる海洋生物育成具及び育成方法を提供することを課題とする。
【課題を解決するための手段】
【０００５】
前記課題を解決するため、この発明は次のような技術的手段を講じている。
【０００６】
この発明の海洋生物育成具は、海底に定着する海洋生物１を上面に載せて固定するようにした本体２と、本体２から下方に延びる差し込み部３とを有し、片手で持てる程度の大きさとしている。
【０００７】
本体２は、木とプラスチックからなる合成木材により形成されたものとすることができる。
【０００８】
また、この発明の海洋生物の育成方法は、前記海洋生物育成具の本体２に、固定具を利用して海洋生物１を固定する段階、
海洋生物１を本体２に付着した状態になるまで成長させる段階、
固定具を取り外し、海中において適宜箇所に差し込み部３を差し込む段階
を備えたものとしている。
【発明の効果】
【０００９】
この発明の海洋生物育成具及び海洋生物の育成方法は、上述のような構成を有しており、低コストで、容易にサンゴや海草等の海底に定着する海洋生物を育成することが可能となっている。
【００１０】
また、海洋生物育成具の本体２が、木とプラスチックからなる合成木材により形成されたものとすれば、リサイクル材や廃材を有効利用することができる。
【発明を実施するための最良の形態】
【００１１】
以下、この発明の好適な実施形態を、図面を参照して説明する。
【００１２】
図１はこの発明の実施形態の海洋生物育成具の斜視図、図２はその断面図、図３は海洋生物育成具の本体２に海藻を固着させた場合の説明図、図４は本体２にサンゴを固着させた場合の説明図、図５は本体２にネームプレートを取り付けた場合の説明図である。
【００１３】
この発明に係る海洋生物育成具は、海底に定着する海洋生物１を上面に載せて固定するようにした本体２と、本体２から下方に延びる差し込み部３とを有するものとしている。
【００１４】
本体２は、木とプラスチックからなる合成木材により形成されたものとしている。例えば、製材所や建材加工工場から排出される廃木材と、使用済みのプラスチックとを原材料とする、廃棄・リサイクル材料の合成木材により形成されたものとすることができる。本体２が廃棄・リサイクル材料の合成木材により形成されたものであれば、省資源、環境保全にも寄与するものとなる。
【００１５】
本体２の形状は長方形の板状としている。本体２の大きさとしては、縦５〜８ｃｍ程度、横１〜２．５ｃｍ程度、厚さ１〜２．５ｃｍ程度とすることが適当である。この程度の大きさであれば、片手で持つことが可能であり、かつ、比較的短時間で海洋生物１が本体２に付着した状態になる。なお、本体２の形状や大きさは、特にこれに限定されない。
【００１６】
差し込み部３は、金属製のボルト状のものとすることができる。例えばステンレス製のような、海中において腐食しにくい材質で形成されたものとすることが望ましい。なお、金属製のものに限定されず、木製、プラスチック製、本体２と同じ合成木材等とすることができる。また、大きさは、直径３〜６ｍｍ程度、長さ３〜６ｃｍ程度が適当であるが、これに限定されない。さらに、差し込み部３の形状は、角棒状、丸棒状、先細り形状等とすることができる。
【００１７】
なお、この海洋生物育成具は、海中において浮かび上がることなく安定した設置状態を保つため、海水よりも比重が大きくなるようにすることが望ましい。そのため、本体２の比重が小さい場合は、差し込み部３を比重の大きなものとするとよい。
【００１８】
この実施形態では、差し込み部３は、本体２の略中央に設けられた孔４に上方から挿入されることにより、略Ｔ字状になって本体２にしっかりと固定されるようになっている。前記孔４は、その上部が差し込み部３の六角ナット状の頭部が嵌合する大きさ、形状であり、下部が差し込み部３の本体部分が嵌合する大きさ、形状となっている。
【００１９】
この海洋生物育成具の適用対象として適当な海洋生物１は、カジメ、ツルアラメ等のコンブ科の海藻類、ノコギリモク、オオバモク等のホンダワラ科の海藻類、各種のサンゴ類などであるが、特にこれらに限定されない。
【００２０】
次に、この海洋生物育成具を使用した海洋生物１の育成方法は、下記の段階を備えたものとしている。
（１）海洋生物育成具の本体２に、固定具を利用して海洋生物１を固定する段階、
（２）海洋生物１を本体２に付着した状態になるまで成長させる段階、
（３）固定具を取り外し、海中において適宜箇所に差し込み部３を差し込む段階。
【００２１】
具体的には、まず、前記（１）の段階では、海洋生物１を本体２の上面に載せ、固定具（図示せず）としてナイロンテグス等の糸状のものを使用して、海洋生物１と本体２とを一緒に巻き、海洋生物１を縛り付けることにより本体２に固定する。海洋生物１は、本体２の上面から大きくはみ出ない程度の大きさに成長したものとするとよい。固定具は、海水中で変質して解けたり、海洋生物１の生育に悪影響を及ぼしたりしない材質のものとする。
【００２２】
次に、前記（２）の段階では、前記（１）で固定した状態のままの海洋生物１を、数ヶ月間水槽で育成する。海藻の場合は、根が本体２を包み込むことにより本体２に付着した状態（根が本体２の下面に達する程度）になるまで成長させる。サンゴの場合は、サンゴが分泌する石灰質５（炭酸カルシウム）によって本体２に付着した状態になるまで成長させる。
【００２３】
そして、前記（３）の段階で、固定具を取り外し、海底の岩やサンゴ礁の割れ目ないし隙間等に差し込み部３を差し込む。この際、前記割れ目ないし隙間が差し込み部３の径より大きい場合は、必要に応じて、差し込み部３の先端あるいは途中の適宜箇所に水中ボンドを塗布し、前記割れ目や隙間等から抜けないようにするとよい。
【００２４】
このようにして海中に設置された海洋生物育成具は、海洋生物１の成長により、本体２が海洋生物１によって覆われ、次第に目立たなくなるので、海中の景観にも悪影響を及ぼさない。
【００２５】
この海洋生物の育成方法において使用する海洋生物育成具は、比較的小さな状態の海洋生物１を、海洋生物育成具の本体２の上面に載せ、成長させて本体２に付着した状態にしたものであり、片手で持つことができる大きさ、重さであるので、重機等を使用することなく、簡単に海中に設置することができる。したがって、一般のダイバー等が手軽に設置作業に関わることができるので、地元住民のみならず、観光客等にも呼びかけて海洋生物育成具の設置を促進することにより、海藻やサンゴ等の海洋生物の繁殖、再生に大きく寄与し得る。
【００２６】
また、海洋生物を幼生段階から育成するのではなく、本体２の大きさ程度に成長した段階から育成するため、海洋生物の生存率が高く、確実性のある育成方法となっている。
【００２７】
さらに、海洋生物育成具は、図５に示したように、本体２に設けた孔６にネームプレート７を取り付けられるようにするとよい。ネームプレート７は棒状の差し込み具８を備えたものや、輪状の通し具９を備えたものとすることができる。ネームプレート７は、設置者の名前の他、日付やメッセージを記入したものとすることができる。
【００２８】
このネームプレート７により、設置者は、設置場所を訪れるたびに、自分が設置した海洋生物１の成長具合を確かめることができるため、海洋生物育成具の設置をさらに促進する動機付けとなり、海藻やサンゴ等の海洋生物の繁殖、再生への関心を高めることができる。
【図面の簡単な説明】
【００２９】
【図１】この発明の実施形態の海洋生物育成具の斜視図である。
【図２】この発明の実施形態の海洋生物育成具の断面図である。
【図３】この発明の実施形態の海洋生物育成具の本体に海藻を固着させた場合の説明図である。
【図４】この発明の実施形態の海洋生物育成具の本体にサンゴを固着させた場合の説明図である。
【図５】この発明の実施形態の海洋生物育成具の本体にネームプレートを取り付けた場合の説明図である。
【符号の説明】
【００３０】
１  海洋生物
２  本体
３  差し込み部
【図１】
2008017775.tif 000003
【図２】
2008017775.tif 000004
【図３】
2008017775.tif 000005
【図４】
2008017775.tif 000006
【図５】
2008017775.tif 000007